(57)【要約】【課題】防蟻処理の製造工程を簡略化した水切りを用いた住宅基礎の防蟻構造を提供することを目的とする。【解決手段】基礎１上に換気台輪２と土台１１と床体３が設けられ、土台１１の外面に水切り１２が取り付けられ、前記換気台輪２と前記土台１１と前記床体３とに防蟻処理が施され、前記水切り１２が防蟻部材１７を有することを特徴とする。【選択図】図１
2012184620.tif 000002
【特許請求の範囲】
【請求項１】
基礎上に換気台輪と土台と床体が設けられ、土台の外面に水切りが取り付けられ、
前記換気台輪と前記土台と前記床体とに防蟻処理が施され、前記水切りが防蟻部材を有する
ことを特徴とする住宅基礎の防蟻構造。
【請求項２】
請求項１に記載の住宅基礎の防蟻構造において、
前記水切りは、土台の外面に固定される固定部と、この固定部より下方に延びる水切り本体とを備え、前記水切り本体の裏面に防蟻部材が設けられていることを特徴とする住宅基礎の防蟻構造。
【請求項３】
請求項２に記載の住宅基礎の防蟻構造において、
前記防蟻部材は、シート材であり、前記水切り本体の裏面に接着されていることを特徴とする住宅基礎の防蟻構造。
【請求項４】
請求項２に記載の住宅基礎の防蟻構造において、
前記防蟻部材は、プレート材であり、前記水切り本体の裏面に係合されていることを特徴とする住宅基礎の防蟻構造。
【請求項５】
請求項４に記載の住宅基礎の防蟻構造において、
前記水切りと前記プレート材はそれぞれ前記土台の長手方向に複数設けられ、隣接する前記水切りの接合部の位置と隣接する前記プレート材の接合部の位置が異なることを特徴とする住宅基礎の防蟻構造。
【発明の詳細な説明】
【技術分野】
【０００１】
本発明は、住宅基礎の防蟻構造に関する。
【背景技術】
【０００２】
従来、住宅基礎の防蟻構造について、住宅基礎の上部に防蟻シートを掛け渡して施工し、床構成部材の下面に防蟻シートを設ける方法（特許文献１参照）、蟻が軸組み等へ物理的に侵入するのを防止する土台水切り兼用防蟻板（特許文献２参照）が提案されていた。ところで、換気台輪を用いて床下換気を行う場合、水切り自体に防蟻処理を施す必要があった。そして、水切り自体に防蟻処理を施す場合、塩ビ鋼板等の裏面に薬剤を塗布し、乾燥して防蟻処理を施した水切りを製造する方法があった。
【先行技術文献】
【特許文献】
【０００３】
【特許文献１】特開昭６２−２８８２４０号公報
【特許文献２】特開２０００−２０４６８５号公報
【発明の概要】
【発明が解決しようとする課題】
【０００４】
しかし、塩ビ鋼板等の裏面に薬剤を塗布し、乾燥して防蟻処理を施した水切りを製造する方法では、塗布する製造ラインと乾燥する製造ラインが必要とされる。そのため、水切りの製造工程を簡略化するために、他の方法が望まれる。
【０００５】
本発明は、防蟻処理の製造工程を簡略化した水切りを用いた住宅基礎の防蟻構造を提供することを目的とする。
【課題を解決するための手段】
【０００６】
上記課題の少なくとも一つを解決するために、請求項１に記載の住宅基礎の防蟻構造に関する発明は、例えば、図１に示すように、
基礎１上に換気台輪２と土台１１と床体３が設けられ、土台１１の外面に水切り１２が取り付けられ、
前記換気台輪２と前記土台１１と前記床体３とに防蟻処理が施され、前記水切り１２に防蟻部材１７が設けられている
ことを特徴とする。
【０００７】
請求項１に記載の発明によれば、前記換気台輪２と前記土台１１と前記床体３とに防蟻処理が施され、前記水切り１２に防蟻部材１７が設けられていることにより、水切りに薬剤を塗布し乾燥する必要がなくなるため、防蟻処理の製造工程を簡略化した水切りを用いた住宅基礎の防蟻構造を提供できる。
【０００８】
請求項２に記載の発明は、例えば、図１に示すように、
前記水切り１２は、土台１１の外面に固定される固定部１３と、この固定部１３より下方に延びる水切り本体１５とを備え、前記水切り本体１５の裏面に防蟻部材１７が設けられていることを特徴とする。
【０００９】
請求項２に記載の発明によれば、前記水切り本体１５の裏面に防蟻部材１７が設けられていることにより、防蟻部材１７が土台１１側にあるため、防蟻処理が施された前記換気台輪２とともに住宅基礎の外部側の防蟻構造を提供できる。
【００１０】
請求項３に記載の発明は、例えば、図２に示すように、
前記防蟻部材１７は、シート材１７ａであり、前記水切り本体１５の裏面に接着されていることを特徴とする。
【００１１】
請求項３に記載の発明によれば、シート材１７ａが前記水切り本体１５の裏面に接着されていることにより、水切り１２に薬剤を塗布し乾燥する必要がなくなるため、防蟻処理の製造工程を簡略化した水切りを提供できる。
【００１２】
請求項４に記載の発明は、例えば、図３に示すように、
前記防蟻部材１７は、プレート材１７ｂであり、前記水切り本体１５の裏面に係合されていることを特徴とする。
【００１３】
請求項４に記載の発明によれば、プレート材１７ｂが前記水切り本体１５の裏面に係合されていることにより、水切り１２に薬剤を塗布し乾燥する必要がなくなるため、防蟻処理の製造工程を簡略化した水切りを提供できる。
【００１４】
請求項５に記載の発明は、例えば、図３に示すように、
前記水切り１２と前記プレート材１７ｂはそれぞれ前記土台の長手方向に複数設けられ、隣接する前記水切り１２の接合部の位置と隣接する前記プレート材１７ｂの接合部の位置が異なることを特徴とする。
【００１５】
請求項５に記載の発明によれば、隣接する前記水切り１２の接合部の位置と隣接する前記プレート材１７ｂの接合部の位置が異なることにより、隣接する前記プレート材１７ｂの接合部のためのジョイナーを用意する必要がなく、前記複数のプレート材１７ｂを前記水切り１２に取り付けることができる。
【発明の効果】
【００１６】
本発明によれば、防蟻処理の製造工程を簡略化した水切りを用いた住宅基礎の防蟻構造を提供することができる。
【図面の簡単な説明】
【００１７】
【図１】本発明に係る住宅基礎の防護構造の一例を示す側断面図である。
【図２】本発明に係る住宅基礎の防護構造に用いられる水切りの一例を示す図であり、（ａ）はシート材を水切り本体に接着する方法を示し、（ｂ）はシート材が接着された水切りの側断面図を示し、（ｃ）は水切りがジョイナーで接続された状態を示す斜視図である。
【図３】同、（ａ）はプレート材が水切り本体に係合された状態を示す側断面図であり、（ｂ）及び（ｃ）は複数の水切りと複数のプレート材が係合した状態を説明するための図である。
【発明を実施するための形態】
【００１８】
以下、図面を参照して本発明の実施の形態について説明する。
【００１９】
＜実施の形態＞
図１において、符号１は基礎であり、この基礎１上には換気台輪２が載置され、さらにこの換気台輪２上には床パネル（本発明の床体に相当）３と半土台（本発明の土台に相当）１１とが配置されている。そして、半土台１１の外面に合板を介して水切り１２がねじ１３ａで取り付けられている。また、これら床パネル３および半土台１１の上には、基礎１に埋設されたアンカーボルト（図示略）に固定されて壁パネル１８が立てられており、さらにこの壁パネル１８の外面には防水シート１９と外壁材２０が取り付けられている。外壁材２０は、壁パネル１８に、防水シート１９上の胴縁等を介して取り付けられている。
【００２０】
半土台１１は、矩形断面を有した角材によって形成されたもので、その内面に凹溝（図示略）を形成している。この凹溝と前記床パネル３の芯材３ａの外面に形成された凹溝との間に前記アンカーボルトが配置される。
【００２１】
ここで、前記換気台輪２と前記半土台１１と前記床パネル３とに防蟻処理が施され、前記水切り１２に防蟻部材１７が設けられている。換気台輪２は、薬剤を染み込ませた樹脂で成形され、床下換気をするための穴が複数設けられている。土台１１には、インサイジング加工をし、薬剤を木材表面から深く、かつ均一に浸透させている。そして、床パネル３は、矩形枠状に配置された芯材３ａと、この上面側に貼着された面材３ｂと、断熱材３ｃと、面材３ｂと対向して断熱材３ｃを挟むように設けられた防蟻シート３ｄから構成される。前記水切り１２は、ねじ１３ａで半土台１１の外面に合板を介して固定される固定部１３と、前記固定部１３の下端縁より土台の外方に延び且つ下方に傾斜する傾斜板と前記傾斜板の先端縁より下方に垂下した垂下板とからなる水切り本体１５から構成され、前記水切り本体１５の土台側の面に防蟻部材１７が設けられている。なお、前記傾斜板の一端が前記固定部１３の下端縁より前記換気台輪２と接するように土台側に延びて設けられているのが望ましい。
【００２２】
本実施の形態によれば、前記換気台輪２と前記半土台１１と前記床パネル３とに防蟻処理が施され、前記水切り１２に防蟻部材１７が設けられていることにより、水切り１２に薬剤を塗布し乾燥する必要がなくなるため、防蟻処理の製造工程を簡略化した水切りを用いた住宅基礎の防蟻構造を提供できる。
【００２３】
また、図１に示すように、前記水切り１２は、半土台１１の外面に固定される固定部１３と、この固定部１３より下方に延びる水切り本体１５とを備えている。前記水切り本体１５の裏面に防蟻部材１７が設けられている。
【００２４】
本実施の形態によれば、前記水切り本体１５の裏面に防蟻部材１７が設けられていることにより、防蟻部材１７が土台１１側にあるため、防蟻処理が施された前記換気台輪２とともに住宅基礎の外部側の防蟻構造を提供できる。
【００２５】
また、図２に示すように、前記防蟻部材１７は、シート材１７ａであり、少なくとも前記水切り本体１５の裏面に接着されている。シート材１７ａとしては、ネオニコチノイド系薬剤や植物から抽出するフィトンチッド抽出物などを主成分とする防蟻シート（例えば、ＡＲシート、株式会社ニックス社製）を用いる。
【００２６】
工場生産する場合、図２（ａ）に示すように、水切り１２に用いるアルミ材等をベルトコンベアで搬送し、ローラでシート材１７ａをアルミ材の水切り本体１５に対応する部分に圧着する。その後、シート材１７ａが接着されたアルミ材を切断、折り曲げ加工して、図２（ｂ）に示すようなシート材１７ａが設けられている水切り１２を製造する。シート材１７ａが設けられている水切り１２を用いる場合は、図２（ｃ）に示すように、ジョイナー２１を用いて、複数の水切りを接合する。
【００２７】
本実施の形態によれば、シート材１７ａが前記水切り本体１５の裏面に接着されていることにより、水切り１２に薬剤を塗布し乾燥する必要がなくなるため、防蟻処理の製造工程を簡略化した水切りを提供できる。
【００２８】
また、図３に示すように、前記防蟻部材１７は、プレート材１７ｂであり、前記水切り本体１５の裏面に係合されている。水切り１２には、水切り本体１５の固定部側と他端側にプレート材１７ｂを勘合するための凹部が設けられ、プレート材１７ｂが前記水切り本体１５の裏面に係合されている。プレート材１７ｂは、水切り本体１５の長手方向から凹部に挿入され、係合させる。また、水切り本体１５の下端部を基礎１の外方に移動し水切り本体１５を撓ませた状態で、プレート材１７ｂを水切り本体の裏側に移動しプレート材１７ｂの両端を凹部に係合してもよい。プレート材１７ｂとしては、ネオニコチノイド系薬剤や植物から抽出するフィトンチッド抽出物などを主成分とするナイロン樹脂系の防蟻プレート（例えば、Ｌ字型のＡＲＬアングルバー、株式会社ニックス社製）を用いる。
【００２９】
本実施の形態によれば、プレート材１７ｂが前記水切り本体１５の裏面に係合されていることにより、水切り１２に薬剤を塗布し乾燥する必要がなくなるため、防蟻処理の製造工程を簡略化した水切りを提供できる。なお、プレート材１７ｂを厚くすると、プレート材に含まれる薬剤の量も増えるため、防蟻効果を長期化することができる。また、プレート材を係合しているため、防蟻効果が低減した場合、プレート材を新しいものに取り替えることが可能になる。
【００３０】
また、図３（ｂ）、図３（ｃ）に示すように、前記水切り１２と前記プレート材１７ｂはそれぞれ前記土台の長手方向に複数設けられ、隣接する前記水切り１２の接合部の位置と隣接する前記プレート材１７ｂの接合部の位置が異なる。
【００３１】
本実施の形態によれば、隣接する前記水切り１２の接合部の位置と隣接する前記プレート材１７ｂの接合部の位置が異なることにより、隣接する前記プレート材１７ｂの接合部のためのジョイナーを用意する必要がなく、前記複数のプレート材１７ｂを前記水切り１２に取り付けることができる。
【００３２】
（変形例）
シート材１７ａが接着されたアルミ材を切断、折り曲げ加工して、図２（ｂ）に示すようなシート材１７ａが設けられている水切り１２を製造したが、アルミ材を切断、折り曲げ加工した後に、プレート材１７ｂを水切り１２に接着するようにしてもよい。
【符号の説明】
【００３３】
１     基礎
２     換気台輪
３     床パネル
１１   半土台
１２   水切り
１７   防蟻部材
１７ａ シート材
１７ｂ プレート材
１８   壁パネル
１９   防水シート
２０   外壁材
【図１】
2012184620.tif 000003
【図２】
2012184620.tif 000004
【図３】
2012184620.tif 000005